(57)【要約】【課題】簡単な構成で操作性が高く、信頼性の高いヒンジ装置を提供する。【解決手段】開口部を有する筐体２と上記開口部を開閉する扉３との間に介在され、上記筐体及び上記扉の何れか一方に設けられたヒンジピン５２を有する第１部材５と、上記筐体及び上記扉の何れか他方に設けられ上記ヒンジピンを回動自在に受入れると共に開扉時に上記扉を開く側から上記ヒンジピン側にスライドさせ得る長孔６２を有する第２部材６と、これら第１及び第２部材の内、上記筐体側の部材に設けられた係合部５４１と、上記扉側の部材に設けられ開扉時に上記係合部に干渉することにより上記扉を開く側から上記ヒンジピン側にスライド移動させる係合体６４とを備えるようにした。【選択図】図３
2009097812.tif 000002
【特許請求の範囲】
【請求項１】
開口部を有する筐体及び上記開口部を開閉する扉の間に介在され、上記筐体及び上記扉の何れか一方に設けられたヒンジピンを有する第１部材と、上記筐体及び上記扉の何れか他方に設けられ上記ヒンジピンを回動自在に受入れると共に開扉時に上記扉を開く側から上記ヒンジピン側にスライド移動させ得る長孔を有する第２部材と、これら第１及び第２部材の内、上記筐体側に配設された上記第１または第２部材に設けられた係合部、及び上記扉側に配設された上記第１または第２部材に設けられ開扉時に上記係合部に干渉することにより上記扉を開く側から上記ヒンジピン側にスライド移動させる係合体とを備えたことを特徴とするヒンジ装置。
【請求項２】
上記扉がスライド移動するときに、上記係合部と上記係合体との干渉部から離間された位置で上記筐体と上記扉とが互いに当接するように形成された凸部を上記筐体と上記扉の少なくとも一方に備えたことを特徴とする請求項１に記載のヒンジ装置。
【請求項３】
上記第１部材には上記ヒンジピンと平行なガイドピンが設けられ、上記第２部材には上記ガイドピンを受入れると共に、上記扉がスライド移動するときに該扉の移動をガイドするスライドガイド領域と、スライド移動した後に上記ヒンジピンの位置を中心に該扉を該ヒンジピンのまわりに回動させる円弧状領域とが連続的に形成されているガイド溝が設けられていることを特徴とする請求項１または請求項２に記載のヒンジ装置。
【請求項４】
上記扉を開けたときに、上記ヒンジピンに対する上記長孔の方向と上記ガイドピンに対する上記ガイド溝の方向とが略平行になる領域において、上記扉のスライドを規制するスライド規制手段を備えたことを特徴とする請求項３に記載のヒンジ装置。
【請求項５】
上記第１部材には上記ヒンジピンと平行なガイドピンが設けられ、上記第２部材には上記ガイドピンを受入れると共に、上記扉がスライド移動するときに該扉の移動をガイドする第１スライドガイド領域と、上記扉が上記ヒンジピン側にスライド移動した後に上記扉を開く側へスライド移動させる第２スライド領域と、上記扉が該扉を開く側にスライド移動した後に上記ヒンジピンの位置を中心に該扉を上記ヒンジピンのまわりに回動させる円弧状領域とが連続的に形成されているガイド溝が設けられていることを特徴とする請求項１または請求項２に記載のヒンジ装置。
【請求項６】
上記請求項１から請求項５の何れか１項に記載のヒンジ装置を冷蔵室の扉の開閉部に用いたことを特徴とする冷蔵庫。
【発明の詳細な説明】
【技術分野】
【０００１】
この発明は、ヒンジ装置、特に冷蔵庫等の観音開き式の扉の開閉に好ましく用いることができるヒンジ装置、及びそのヒンジ装置を用いた冷蔵庫に関する。
【背景技術】
【０００２】
従来の観音開き式の扉の開閉に用いるヒンジ装置として、開口部を有する機器本体と開口部を覆う扉とにヒンジピン、ヒンジピンと嵌合する長孔、円弧状のリブ、リブに摺接する摺接面を有するカム部材、ガイドピン、ガイドピンと嵌合し逃げ部を有するガイド溝からなるカム機構を設けたものが開示されている（例えば特許文献１参照）。このヒンジ装置においては扉を開く際にヒンジピン、リブ、ガイドピンがそれぞれ長孔、カム部材、ガイド溝に案内され、ヒンジピンが長孔の第１停止位置から第２停止位置に移るように扉がスライド移動する。スライド移動により、ヒンジピンが第２停止位置に配置され、摺接面とリブが摺動すると共にヒンジピンと長孔との係合により扉をスライド規制して、回動可能に支持する。このように観音開きの扉に、開動作時に扉が互いの扉から離れる方向へスライド移動するヒンジ装置を用いることによって、閉時にはガスケットを用いて扉間及び開口部と扉との間を確実に封止でき、かつ、開閉動作時におけるガスケットの干渉による磨耗を抑制する扉開閉機構を得ることができる。
【０００３】
【特許文献１】特許第３５９９７００号公報（第１０〜１２頁、図１１〜１４）
【発明の開示】
【発明が解決しようとする課題】
【０００４】
上記のようなヒンジ装置においては、扉を開く際に他方扉から離れる方向へスライドすることによって他方扉との干渉を防止するため、確実に干渉を防止するには、開き角度が小さいうちに他方扉から離れる方向へのスライド量を大きくすることが好ましい。しかし、従来のヒンジ装置では扉スライドに働く力は把手に加えた力のうち案内方向の分力となるため、他方扉から離れる方向へのスライド量を大きくすると扉開動作に大きな操作力が必要となり、操作性が悪くなるためスライド量を十分に取れないという課題があった。また、カム部材を設けているため構造や開閉動作が複雑になり、組立上や動作上での信頼性低下を招きやすい課題もあった。特に扉がスライドする際には長孔によるヒンジピンの案内にあわせてカム部材の第１カム面によるリブの案内とガイド溝によるガイドピンの案内も同時に起こるため、各部品のバラツキや組み立てのバラツキによって、異常音や動作の不連続性が生じやすい課題もあった。
【０００５】
この発明は、上記のような従来技術の課題を解消するためになされたもので、簡単な構成で操作性が高く、信頼性の高いヒンジ装置、及び扉開閉の操作性、信頼性に優れた冷蔵庫を提供することを目的とする。
【課題を解決するための手段】
【０００６】
この発明に係るヒンジ装置は、開口部を有する筐体及び上記開口部を開閉する扉の間に介在され、上記筐体及び上記扉の何れか一方に設けられたヒンジピンを有する第１部材と、上記筐体及び上記扉の何れか他方に設けられ上記ヒンジピンを回動自在に受入れると共に開扉時に上記扉を開く側から上記ヒンジピン側にスライド移動させ得る長孔を有する第２部材と、これら第１及び第２部材の内、上記筐体側に配設された上記第１または第２部材に設けられた係合部、及び上記扉側に配設された上記第１または第２部材に設けられ開扉時に上記係合部に干渉することにより上記扉を開く側から上記ヒンジピン側にスライド移動させる係合体とを備えたものである。
【発明の効果】
【０００７】
この発明によれば、係合部と係合体の干渉により生じる反力と、長孔によるヒンジピンの案内により、扉を開く側からヒンジピン側にスライド移動させるため、小さな力で扉を開くことができ、操作性の向上を図ることができる。また構成部材が少ないので構成が簡単で信頼性に優れたヒンジ装置及び冷蔵庫を得ることができる。
【発明を実施するための最良の形態】
【０００８】
実施の形態１．
図１〜図６はこの発明の実施の形態１によるヒンジ装置及びそのヒンジ装置を用いた冷蔵庫を説明する図であり、図１は該冷蔵庫を概念的に示す斜視図、図２は図１に示された冷蔵庫の正面図、図３は図１に示された冷蔵庫の左扉の左上部に設けられたヒンジ装置を示す分解斜視図、図４は図３に示されたヒンジ装置を構成する第１部材を示す図であり、（ａ）は正面図、（ｂ）は下面図である。図５は、図３に示されたヒンジ装置を構成する第２部材を示す図であり、（ａ）は上面図、（ｂ）は正面図である。図６は図２のＢ−Ｂ線における矢視断面図にて示す動作説明図である。なお、各図を通じて同一符号は同一または相当部分を示している。図において、冷蔵庫１は開口部２１を有する筐体２と、開口部２１を開閉するように設けられた扉３である左扉３１及び右扉３２と、筐体２及び扉３の間に介在されて扉３を枢支するヒンジ装置４を備えている。
【０００９】
左扉３１には右扉３２との隙間ならびに筐体２との隙間を封止するための吸着用の磁性材を含むプラスチックゴムなどからなるガスケット３１１と把手３１２が設けられ、右扉３２には左扉３１との隙間ならびに筐体２との隙間を封止するためのガスケット３２１と把手３２２が設けられている。ヒンジ装置４は左扉３１及び右扉３２の互いに向き合う側と反対側の端の上下に各１つずつ計４つ（４Ａ、４Ｂ、４Ｃ、４Ｄ）配設されている。なお、該４つのヒンジ装置４の内、上下のもの（４Ａと４Ｂ、及び４Ｃと４Ｄ）は上下対称に、左右のもの（４Ａと４Ｃ、及び４Ｂと４Ｄ）は左右対称に構成されている他は作用効果的にも同様のものであるので、以下代表して左上のヒンジ装置４Ａについて説明する。
【００１０】
ヒンジ装置４Ａは、筐体２の開口部２１の左上前端部に固定される第１部材５と、左扉３１の上端部に固定される第２部材６からなる。第１部材５は板状のヒンジプレート５１と、このヒンジプレート５１の下面所定部にそれぞれ突設されたヒンジピン５２及びガイドピン５３と、斜め前方方向に傾斜された係合面５４１ａを有する爪状の係合部５４１及び左扉３１の角部に当接する凸部５４２を有する突設体５４から構成され、ヒンジプレート５１には第１部材５を開口部２１の左上前端部に固定する図示省略しているボルトを挿通するための２つの貫通穴５１ａが設けられている。なお、ヒンジピン５２及びガイドピン５３には鋼材が用いられ、ヒンジプレート５１にカシメ締結されている。また、突設体５４はＡＢＳ樹脂で一体成形され、ヒンジプレート５１に位置決めピン（図示せず）によって位置決めされネジ締結されている。また、第１部材５は冷蔵庫１の天井面に位置決めした後、貫通穴５１ａを用いてネジ締めすることにより筐体２に固定される。
【００１１】
一方、第２部材６は板状のヒンジ受けプレート６１からなり、該ヒンジ受けプレート６１には、ヒンジピン５２を回動自在に受入れると共に開扉時に左扉３１を開く側からヒンジピン５２の側に斜め前方方向にスライドガイドさせ得る長孔６２と、上記ガイドピン５３を受入れると共に、上記左扉３１がスライド移動するときに該左扉３１の移動をガイドするスライドガイド領域６３ａ、及びスライド移動した後にそのときのヒンジピン５２の位置を中心に左扉３１を該ヒンジピン５２のまわりに回動させる円弧状領域６３ｂが連続的に形成されているガイド溝６３と、第２部材６本体を左扉３１の上端部に固定する図示省略しているボルトを挿通するための２つの貫通穴（皿穴）６１ａが設けられている。
【００１２】
また、ヒンジ受けプレート６１の筐体２側側面所定部には、開扉時に上記第１部材５に設けられた係合部５４１の係合面５４１ａに干渉することにより左扉３１を図の左斜め前方方向にスライド移動させる爪状の係合体６４が突設され、ヒンジ受けプレート６１の下面所定部には固定時に用いる複数の位置決めピン６５が突設されている。なお、該第２部材６には摺動性及び耐摩耗性の観点から例えばＰＯＭ（ポリオキシメチレン）樹脂等のポリアセタール樹脂などが好ましく用いられる。また、第２部材６は位置決めピン６５を左扉３１上面の位置決め穴（図示せず）と嵌合して、左扉３１とヒンジ受けプレート６１を位置決めし、２つの貫通穴６１ａを用いてネジ締めすることにより左扉３１に固定される。
【００１３】
次に図６を参照して動作について説明する。なお、図６においては第２部材６の固定用の貫通穴６ａは図示を省略している。また、左上部に設けられたヒンジ装置４Ａを中心に説明するが、他の箇所に設けられたヒンジ装置も同様であるので説明を省略する。先ず、図６（ａ）は閉状態であり、ヒンジピン５２は長孔６２の外側（図６（ａ）の左側）端、ガイドピン５３はガイド溝６３のスライドガイド領域６３ａの外側端に位置している。また、爪状に形成された突部からなる係合体６４は係合部５４１の凹所５４１ｂ内に侵入して該係合部５４１の係合面５４１ａに当接し、係合体６４を構成する面のうち係合部５４１の係合面５４１ａと接する傾斜面６４ａが筐体２の開口部２１ならびに長孔６２に対し傾きを有している。
【００１４】
ここで把手３１２に左扉３１を開く方向に力を加えると、左扉３１はヒンジピン５２を中心に回動しようとし、係合部５４１と係合体６４が干渉する。この際、係合部５４１は移動しないため、係合部５４１と係合体６４の干渉で生じた力の一部は、長孔６２によるヒンジピン５２の案内ならびにガイド溝６３によるガイドピン５３の案内により、図６（ｂ）に示すように左扉３１は回動を伴いながら右扉３２から離れる方向にスライド移動する力となる。なお、係合部５４１と係合体６４が干渉する傾斜面６４ａと筐体２の開口部２１がなす角度θ（図６（ａ）参照）を本実施の形態１においては４５度としている。角度θが大きくなると扉３の回動に対するスライド量が小さくなり、角度θが小さくなると扉３を開く際に要する力が大きくなるため、用途等に応じて適宜角度θを決定すればよいが、概ね３０度から１２０度の範囲で設定することが好ましい。
【００１５】
さらに左扉３１を開くと、突設体５４に設けられた凸部５４２が左扉３１の角部に摺接した後、係合部５４１と係合体６４の摺接がはずれる（図６（ｃ）参照）。なお、凸部５４２は左扉３１と摺接することで、左扉３１のスライド移動を補助すると共に左扉３１のガタツキを抑制する。また、この際、左扉３１のスライド方向が変化するように、長孔６２には屈曲点が設けられている。さらに左扉３１を開くと、図６（ｄ）に示すように左扉３１は、凸部５４２と左扉３１との摺接がはずれ、ガイド溝６３の円弧状領域６３ｂによるガイドピン５３の案内により、ヒンジピン５２が長孔６２の把手３１２側端位置に保持された状態で回動する。また、上述の通り長孔６２が屈曲点を持つため、直線状の長孔に比べてヒンジピン５２の自由度が束縛され、ガイド溝６３とガイドピン５３によるスライド規制と共に左扉３１のガタツキを抑制することが出来る。なお、閉扉動作は上記の開扉動作の逆の動きによって動作する。また、図１の矢印Ａは左扉３１が開いたときに左扉３１に作用する力の方向を示している（実施の形態２にて説明）。
【００１６】
上記のように実施の形態１によれば、係合部５４１と係合体６４とが、冷蔵庫１の筐体２の開口部２１ならびに長孔６２に対し傾きを有する面で干渉することにより生じる反力を利用しているため、該反力と、長孔６２によるヒンジピン５２の案内により、左扉３１を小さな力でスライド移動でき、操作性に優れたヒンジ装置を得ることができる。なお、係合部５４１と係合体６４とが摺動している範囲においては、長孔６２またはガイド溝６３の何れか一方の案内溝を大きくし、ヒンジピン５２あるいはガイドピン５３の何れか一方のみの案内によりスライド移動するようにしても良い。ヒンジピン５２あるいはガイドピン５３の何れか一方のみの案内とした場合には、部品や組み付け等のバラツキによってスライドが阻害される可能性が減少し、信頼性を高めることができる。
【００１７】
また、上記スライド移動時に筐体２側の凸部５４２と左扉３１が当接して摺動することにより、スライド移動時における筐体２と左扉３１の間隔が制限され、扉３のガタツキを抑制できる。なお、上記凸部５４２は筐体２側に設けたがこれに限定されるものではなく、係合部５４１と係合体６４との干渉部から離間された位置であれば扉３側に設け、あるいは筐体２側と扉３側の双方に設けても良い。また、ガイド溝６３は扉３がヒンジピン５２側にスライド移動する際にガイドピン５３が嵌合するスライドガイド領域６３ａと、スライド移動した後の回動範囲においてヒンジピン５２の位置を中心とした円弧状領域６３ｂとを設けているため、簡単な構成でスライド移動後係合部５４１と係合体６４の摺接がはずれた後の回動範囲において扉３のスライドが規制され、扉３のガタツキを抑制できる。
また、上記ヒンジ装置４を用いた冷蔵庫１は、扉開閉操作性に優れ、信頼性が高く、冷気漏れを少ないものとすることができる。
【００１８】
実施の形態２．
図７〜図９はこの発明の実施の形態２によるヒンジ装置を説明する図であり、図７は図１に示す冷蔵庫の左扉の左上部に設けられるヒンジ装置を構成する第１部材を示す図であり、（ａ）は正面図、（ｂ）は下面図である。図８は、図７に示されたヒンジ装置を構成する第２部材を示す図であり、（ａ）は上面図、（ｂ）は正面図である。図９は図７、図８に示されたヒンジ装置を用いた冷蔵庫の扉（左扉）を約１４５度開いた状態における、図２のＢ−Ｂ線における矢視断面図に相当する断面図である。なお、この実施の形態２はガイド溝６３Ａの形状を変更すると共に、扉３１のスライド規制手段７を設けたものである。
【００１９】
図において、第１部材５下面の突設体５４とヒンジピン５２の間の所定部にはスライド規制手段７（図８）を構成する楕円形状の係合凸部７１が図７に示すように突設されている。一方、第２部材６上面における長孔６２に対するガイド溝６３とは反対側の角部にはスライド規制手段７を構成する略三角形状の係止凸部７２が突設されており、係合凸部７１側面の湾曲面７１ａと係止凸部７２側面の係止面７２ａが所定回動角度で当接して扉３のガタツキを規制するように構成されている。また、ガイド溝６３Ａは、実施の形態１に比べて円弧状領域６３ｃが長く形成され、扉３１の開扉角度を大きく取れるように構成されている。その他の構成は上記実施の形態１と同様であるので説明を省略し、以下、図１、図２も参照して説明する。
【００２０】
上記のように構成された実施の形態２においては、円弧状領域６３ｃが実施の形態１よりも長く（広角度に）形成されているので、開扉時に扉３（左扉３１及び右扉３２）の回動範囲を広くすることができるが、その回動範囲において図９に示すようにヒンジピン５２に対する長孔６２の方向Ｃとガイドピン５３に対するガイド溝６３Ａの方向Ｄが略平行となる領域が生じる。この領域においては扉３のガタツキが生じやすくなるが、本実施の形態２においてはスライド規制手段７を構成する係合凸部７１の湾曲面７１ａと係止凸部７２の係止面７２ａとが当接して摺動することにより、ガタツキを抑制することができる。特に扉３に収納部として設けられているポケット等に重量物を保管した場合、扉上部が図１に示す矢印Ａの方向に倒れようとする力が大きくなるが、スライド規制手段７が設けられていることにより、扉３のガタツキ及びスライドが規制され、扉をスムーズに開閉でき、信頼性も向上する。なお、スライド規制手段７は、少なくとも扉３（左扉３１及び右扉３２）の上部に設けられるヒンジ装置に好ましく設けられる。また、係合凸部７１及び係止面７２ａの形状など例示したものに限定されないことは当然である。
【００２１】
実施の形態３．
図１０〜図１１はこの発明の実施の形態３によるヒンジ装置を説明するもので、図１０はヒンジ装置を構成する第２部材を示す図であり、（ａ）は上面図、（ｂ）は正面図である。図１１は図１０に示す第２部材を用いたヒンジ装置の動作を図２のＢ−Ｂ線における矢視断面相当図にて示す動作説明図である。図において、第２部材６に設けられたガイド溝６３Ｂは、開扉初期に左扉３１を開く側からヒンジピン側にスライドガイドする第１スライドガイド領域６３ｄ、開扉のその次の段階でヒンジピン５２を長孔６２のヒンジ側端にスライド移動するようにガイドする第２スライドガイド領域６３ｅと、その移動後のヒンジピン５２の位置で、左扉３１が円運動するようにガイドする円弧状領域６３ｆの３つの領域が連続的に形成されている。なお、右扉３２も対称構造である他は上記と同様であり、その他の構成は上記実施の形態１と同様であるので説明を省略する。
【００２２】
上記のように構成された実施の形態３の動作について図１、図２も参照して説明する。図１１（ａ）は閉成状態であり、ヒンジピン５２は長孔６２のヒンジ側端に位置している。ガイドピン５３はガイド溝６３Ｂの第１スライドガイド領域６３ｄのヒンジ側端近傍に位置している。また、係合体６４は係合部５４１に当接している。ここで把手３１２に左扉３１を開く方向に力を加えると、左扉３１はヒンジピン５２を中心に回動しようとし、係合部５４１と係合体６４が干渉する。この干渉により生じる反力と、長孔６２によるヒンジピン５２の案内ならびにガイド溝６３Ｂの第１スライド領域６３ｄによるガイドピン５３の案内により、図１１（ｂ）に示すように左扉３１は回動を伴いながら右扉３２から離れる方向にスライド移動する。
【００２３】
さらに左扉３１を開くと、係合部５４１と係合体６４の摺接がはずれ、ヒンジピン５２が長孔６２の把手３１２側端位置に到達する（図１１（ｃ）参照）。さらに左扉３１を開くと図１１（ｄ）に示すように左扉３１はガイド溝６３Ｂの第２スライドガイド領域６３ｅによるガイドピン５３の案内により、ヒンジピン５２が長孔６２のヒンジ側端にスライド移動する。さらに左扉３１を開くと図１１（ｅ）に示すように左扉３１はガイド溝６３Ｂの円弧状領域６３ｆによるガイドピン５３の案内により、ヒンジピン５２がヒンジ側端位置に保持された状態で回動する。なお、扉閉動作は上述の開動作と逆の動きによって動作する。
【００２４】
左扉３１に設けられたポケット等に重量物を保管した場合、左扉３１は図１に示す矢印Ａの方向に倒れようとする。本実施の形態３においては、図１１（ｅ）に示すように左扉３１が開いた際にはヒンジピン５２が長孔６２のヒンジ側端に位置しており、ヒンジピン５２に対する長孔６２の方向とガイドピン５３に対するガイド溝６３Ｂの方向が略平行となる領域が生じることがないため、左扉３１が倒れるのをガイドピン５３とヒンジピン５２で防ぐように動作する。なお、右扉３２についても同様である。
上記のように、実施の形態３によれば、扉３が開いたときの扉３（左扉３１及び右扉３２）の傾動を実施の形態２の係合凸部７１や係止凸部７２などを設けることなく、ガイドピン５３とヒンジピン５２で防ぐことができるので、簡単な構成で扉３のガタツキを抑制できるとともに、扉３に設けられたポケット等に重量物を保管した場合における信頼性が向上するという効果が得られる。
【００２５】
ところで上記実施の形態においては、ヒンジピン５２とガイドピン５３を冷蔵庫１の筐体２側に固定し、長孔６２とガイド溝６３、６３Ａ、６３Ｂを扉３側に設けた例で説明したが、これに限定されるものではなく、例えばガイドピンを扉側に固定し、ガイド溝を筐体側に設けるなどの変更を行なっても同様の効果が期待できる。また、ヒンジ装置を構成する第１部材５のヒンジプレート５１及び第２部材６のヒンジ受けプレート６１を筐体２または扉３と別体に構成したが、例えば筐体２または扉３の一部によって一体的に構成しても良い。また、扉３の開放時において、ガイドピンがガイド溝端に達する前に扉の回動を制限する例えばストッパ、その他の係止機構を設けることは、ガイドピン及びガイド溝の損傷を防ぐのに有効なため信頼性向上の点で好ましい。その他、構成部材の材質等、上記実施の形態に例示されたものに限定されるものではなく、この発明の範囲内で種々の改変や機能の付加などができることは言うまでもない。
【図面の簡単な説明】
【００２６】
【図１】この発明の実施の形態１によるヒンジ装置を用いた冷蔵庫を概念的に示す斜視図。
【図２】図１に示された冷蔵庫の正面図。
【図３】図１に示された冷蔵庫の左扉の左上部に設けられたヒンジ装置を示す分解斜視図。
【図４】図３に示されたヒンジ装置を構成する第１部材を示す図であり、（ａ）は正面図、（ｂ）は下面図。
【図５】図３に示されたヒンジ装置を構成する第２部材を示す図であり、（ａ）は上面図、（ｂ）は正面図。
【図６】図２のＢ−Ｂ線における矢視断面図にて示す動作説明図。
【図７】この発明の実施の形態２によるヒンジ装置を構成する第１部材を示す図であり、（ａ）は正面図、（ｂ）は下面図。
【図８】図７に示されたヒンジ装置を構成する第２部材を示す図であり、（ａ）は上面図、（ｂ）は正面図。
【図９】図７、図８に示されたヒンジ装置を用いた冷蔵庫の扉（左扉）を約１４５度開いた状態における、図２のＢ−Ｂ矢視断面に相当する断面図。
【図１０】この発明の実施の形態３によるヒンジ装置を構成する第２部材を示す図であり、（ａ）は上面図、（ｂ）は正面図。
【図１１】図１０に示す第２部材を用いたヒンジ装置の動作を図２のＢ−Ｂ線における矢視断面相当図にて示す動作説明図。
【符号の説明】
【００２７】
１  冷蔵庫、  ２  筐体、  ２１  開口部、  ３  扉、  ３１  左扉、  ３１１  ガスケット、  ３１２  把手、  ３２  右扉、  ３２１  ガスケット、  ３２２  把手、  ４（４Ａ、４Ｂ、４Ｃ、４Ｄ）  ヒンジ装置、  ５  第１部材、  ５１  ヒンジプレート、  ５１ａ  貫通穴、  ５２  ヒンジピン、  ５３  ガイドピン、  ５４  突設体、  ５４１  係合部、  ５４１ａ  係合面、  ５４１ｂ  凹所、  ５４２  凸部、  ６  第２部材、  ６１  ヒンジ受けプレート、  ６１ａ  貫通穴、  ６２  長孔、  ６３、６３Ａ、６３Ｂ  ガイド溝、  ６３ａ  スライドガイド領域、  ６３ｂ、６３ｃ、６３ｆ  円弧状領域、  ６３ｄ  第１スライドガイド領域、  ６３ｅ  第２スライドガイド領域、  ６４  係合体、  ６４ａ  傾斜面、  ６５  位置決めピン、  ７  スライド規制手段、  ７１  係合凸部、  ７１ａ  湾曲面、  ７２  係止凸部、  ７２ａ  係止面。
【図１】
2009097812.tif 000003
【図２】
2009097812.tif 000004
【図３】
2009097812.tif 000005
【図４】
2009097812.tif 000006
【図５】
2009097812.tif 000007
【図６】
2009097812.tif 000008
【図７】
2009097812.tif 000009
【図８】
2009097812.tif 000010
【図９】
2009097812.tif 000011
【図１０】
2009097812.tif 000012
【図１１】
2009097812.tif 000013